(57)【要約】【課題】  ディスク装置において、信頼性を維持しつつ薄型化を行う。【解決手段】  ローディングされた記録媒体とその一方の表面に対向するベースシャーシの底面との間に可動部が設けられる。可動部は、スピンドルモータ、ヘッド、該ヘッドを記録媒体の半径方向に移動可能に支持するガイド軸、及び前記底面に向かってスウィングダウン可能にベースシャーシに対して設けられ、且つスピンドルモータ、ヘッド及びガイド軸を保持する可動保持部材を含んで構成される。可動保持部材は、スピンドルモータ、ヘッド及びガイド軸のうち少なくとも一つを、可動保持部材に対して相対的に底面から離間する方向に移動可能に保持する。可動保持部材がスウィングダウンする場合においても、可動部の少なくとも一部が底面から離間されているように、可動部と底面との間に介在して可動部の動作範囲を規制する規制部を備える。【選択図】      図４
2005196922.tif 000002
【特許請求の範囲】
【請求項１】
ディスク状の記録媒体を所定位置へローディングし、該ローディングされた記録媒体に対して情報の記録及び再生の少なくとも一方を行うディスク装置であって、
前記ローディングされた記録媒体の一方の表面に対向する対向面を有するベースシャーシと、
(i)前記記録媒体を回転駆動するスピンドルモータ、(ii)前記記録媒体に対し前記情報の記録及び再生の少なくとも一方を行うためのヘッド、(iii)該ヘッドを前記記録媒体の半径方向に移動可能に支持するガイド軸、及び(iv)前記スピンドルモータ、前記ヘッド及び前記ガイド軸を保持し且つ前記対向面に向かってスウィング可能な可動保持部材を含んで構成された可動部と、
前記可動保持部材がスウィングする際、前記可動部の少なくとも一部に当接して、前記ヘッドが前記底面から離間されるように前記ヘッドの動作範囲を規制する規制部と
を備え、
前記可動保持部材は、前記ヘッドを前記可動保持部材に対して相対的に前記対向面から離間する方向に移動可能に保持することを特徴とするディスク装置。
【請求項２】
前記可動保持部材がスウィングする際に、前記ヘッド又は前記ガイド軸は、前記規制部により当接されることで、前記可動保持部材及び前記スピンドルモータと比べて前記底面に平行に近付くように前記可動保持部材に対して移動することを特徴とする請求項１に記載のディスク装置。
【請求項３】
前記規制部は、少なくとも前記ガイド軸の一つに立設されており、
前記可動保持部材がスウィングすると、前記規制部の先端が前記対向面に当接することを特徴とする請求項１又は２に記載のディスク装置。
【請求項４】
前記ヘッドは、前記記録媒体に光束を照射する光源と前記記録媒体から反射される光束を受光する受光部とを備え、前記規制部は、前記光源と前記受光部の少なくとも一方の近傍に設けられていることを特徴とする請求項３に記載のディスク装置。
【請求項５】
前記規制部は、前記ヘッドに立設されており、
前記可動保持部材がスウィングすると、前記規制部の先端が前記対向面に当接することを特徴とする請求項１から４のいずれか一項に記載のディスク装置。
【請求項６】
前記規制部は、前記対向面に立設されており、
前記可動保持部材がスウィングすると、前記規制部の先端が前記対向面に当接することを特徴とする請求項１から５のいずれか一項に記載のディスク装置。
【請求項７】
前記可動保持部材は、前記ガイド軸を、その両端の夫々において前記対向面から離間する方向に伸縮可能な弾性部材を介して保持することを特徴とする請求項１から６のいずれか一項に記載のディスク装置。
【発明の詳細な説明】
【技術分野】
【０００１】
本発明は、ＤＶＤ、ＣＤ（Compact Disk）等の光ディスクをローディングし、その情報記録及び情報再生のうち少なくとも一方を行なうディスク装置の技術分野に関する。
【背景技術】
【０００２】
この種のディスク装置においては、挿入されたディスクを、スピンドルモータ上の所定位置にローディングする。その際、記録再生用ヘッドやスピンドルモータ等の部品を一体保持したメカフレームはスウィングダウンし、ディスクの搬入経路から一旦待避する。そして、ローディング完了と共にメカフレームは規定位置にスウィングバックし、ディスクをスピンドル上のクランプ部にクランプする。その後、当該ディスクをスピンドルモータにより回転させながらその記録面にヘッドから光を照射して情報の記録又は再生を行う。
【０００３】
このようなディスク装置では、薄型化が進められている。薄型化のためには、例えば、ディスク搬入経路から底板までの空間高さを決定付けているスピンドルモータやヘッドを薄くする、底板のうちヘッド等が接触する部分に穴を開け、部品の高さを逃がすなどの方策が採られている。
【０００４】
他方、特許文献１には、トラバースベース（メカフレームに相当する）が、ヘッドを支持するガイド軸を、弾性体を介して支持する構造とする一方で、当接部を底板に立設しておき、ローディングの際にトラバースベースを底板側に水平移動させる技術について記載されている。この場合、トラバースベースが底板側に水平移動すると、ヘッドが底板に当接するよりも先にガイド軸が当接部に当接し、ガイド軸を支える弾性体が縮む。そのため、このようなトラバースベースの動きに反し、ヘッドは底板に接触することなく、しかも移動距離が少なくて済む。
【０００５】
【特許文献１】特開２００２−３１２９５５号公報
【発明の開示】
【発明が解決しようとする課題】
【０００６】
しかしながら、スピンドルモータを薄くすると、トルクの低下を招き、ディスク回転の加速又は減速に要する時間が長くなるおそれがある。そして、モータの部材が薄くなることから、強度が低下し、衝撃による変形や共振の発生等の問題が生じる。また、ヘッドを薄くすることについても、必要光束径の確保する上で無理があり、強度低下という問題がある。また、底板に穴を開ける方法においては、塵埃の流入が問題となる。そこで、穴をテープ等で塞ぐ対策が採られることもあるが、これは、結果的に装置の総厚を厚くする要因となる。
【０００７】
他方、特許文献１に記載された技術については、トラバースベースを装置の厚み方向に待避させるために、効果的に装置を薄型化するのが難しいという問題がある。
【０００８】
本発明は、例えば上記問題点に鑑みなされたものであり、信頼性を維持しつつ薄型化が可能なディスク装置を提供することを課題とする。
【課題を解決するための手段】
【０００９】
請求項１に記載のディスク装置は上記課題を解決するために、ディスク状の記録媒体を所定位置へローディングし、該ローディングされた記録媒体に対して情報の記録及び再生の少なくとも一方を行うディスク装置であって、前記ローディングされた記録媒体の一方の表面に対向する対向面を有するベースシャーシと、(i)前記記録媒体を回転駆動するスピンドルモータ、(ii)前記記録媒体に対し前記情報の記録及び再生の少なくとも一方を行うためのヘッド、(iii)該ヘッドを前記記録媒体の半径方向に移動可能に支持するガイド軸、及び(iv)前記スピンドルモータ、前記ヘッド及び前記ガイド軸を保持し且つ前記対向面に向かってスウィング可能な可動保持部材を含んで構成された可動部と、前記可動保持部材がスウィングする際、前記可動部の少なくとも一部に当接して、前記ヘッドが前記底面から離間されるように前記ヘッドの動作範囲を規制する規制部とを備えている。前記可動保持部材は、前記ヘッドを前記可動保持部材に対して相対的に前記対向面から離間する方向に移動可能に保持する。
【００１０】
本発明の作用及び利得は次に説明する実施の形態から明らかにされる。
【発明を実施するための最良の形態】
【００１１】
本発明のディスク装置に係る実施形態は、ディスク状の記録媒体を所定位置へローディングし、該ローディングされた記録媒体に対して情報の記録及び再生の少なくとも一方を行うディスク装置であって、前記ローディングされた記録媒体の一方の表面に対向する対向面を有するベースシャーシと、(i)前記記録媒体を回転駆動するスピンドルモータ、(ii)前記記録媒体に対し前記情報の記録及び再生の少なくとも一方を行うためのヘッド、(iii)該ヘッドを前記記録媒体の半径方向に移動可能に支持するガイド軸、及び(iv)前記スピンドルモータ、前記ヘッド及び前記ガイド軸を保持し且つ前記対向面に向かってスウィング可能な可動保持部材を含んで構成された可動部と、前記可動保持部材がスウィングする際、前記可動部の少なくとも一部に当接して、前記ヘッドが前記底面から離間されるように前記ヘッドの動作範囲を規制する規制部とを備え、前記可動保持部材は、前記ヘッドを前記可動保持部材に対して相対的に前記対向面から離間する方向に移動可能に保持する。
【００１２】
本発明のディスク装置に係る実施形態によれば、挿入された記録媒体が、記録又は再生のための所定位置へとローディングされる。その際の記録媒体の搬入経路は、これ以前に又はこれと並行して、可動保持部材がスウィングすることによって確保される。ここで、本発明における「スウィング」とは、可動保持部材が、ローディングされる記録媒体に近接する側が底面に近付くように揺動或いは移動することを意味している。そのような動作としては、まず回転運動が挙げられるが、ここでは単なる回転運動以外の動作も許容される。例えば、可動保持部材は、記録媒体のローディング方向において傾斜するように回転すると共に、ローディング方向とは直交方向において底面に対し傾きをもつような動作を行うことができる。また、可動保持部材の回転運動における回転中心は任意に設定可能であり、例えばローディングされる記録媒体に近接する側が底面に近付く一方で、その反対側は底面から離間するように移動することが可能である。或いは、底面に対し上下動すると同時に、底面に対して平行方向に、記録媒体から遠ざかるように移動することも可能である。
【００１３】
可動保持部材がスウィングすると、可動保持部材に保持されたスピンドルモータ、ヘッド及びガイド軸の少なくとも一部は底面に近付く。但し、これらの部品を含め、可動部の動作範囲は規制部によって規制されており、可動部の少なくとも一部は底面に接触しない。このため、底面に突き当たるときの衝撃により可動部に生じる損傷や位置ずれ等が防止される。この際、可動保持部材に保持された上記部品のうちヘッドは、底面とは離間する方向に、可動保持部材に対して相対的に移動する。即ち、可動部は、各部品の形状はそのまま留めつつも、規制部によりその動作範囲が規制されるのに伴って、底面に垂直方向において薄くなるように変形する。
【００１４】
以上の結果、ディスク装置を、その信頼性を損なうことなく、薄型化することが可能となる。
【００１５】
本発明のディスク装置に係る実施形態の一態様では、前記可動保持部材がスウィングする際に、前記ヘッド又は前記ガイド軸は、前記規制部により当接されることで、前記可動保持部材及び前記スピンドルモータと比べて前記底面に平行に近付くように前記可動保持部材に対して移動するようにしてもよい。
【００１６】
このように構成すれば、ガイド軸、更にこれに支持されるヘッドは、規制部に停止される際、引き続きスウィング動作を続行する可動保持部材及びスピンドルモータよりも底面に対し平行に近付く。よって、可動部のうちヘッド及びガイド軸を含む部分は、底面に垂直な方向において薄くなり、記録媒体の搬送経路を十分確保することが可能となる。
【００１７】
本発明のディスク装置に係る実施形態の他の態様では、前記規制部は、少なくとも前記ガイド軸の一つに立設されており、前記可動保持部材がスウィングすると、前記規制部の先端が前記対向面に当接する。
【００１８】
この態様では、可動保持部材がスウィングする際、規制部が突っ支いとなってガイド軸が対向面から離間される。そのために、ガイド軸に支持されるヘッドは、規制部により間接的に対向面から離間される。ヘッドは光源や受光部等の特に精度が要求される部品を含んでおり、可動部のなかでも特に衝撃に弱い部分であるが、このように構成すれば、対向面に当接する際の衝撃をヘッドに与えることが未然防止できる。
【００１９】
この規制部がガイド軸に立設される態様では、前記ヘッドは、前記記録媒体に光束を照射する光源と前記記録媒体から反射される光束を受光する受光部とを備え、前記規制部は、前記光源と前記受光部の少なくとも一方の近傍に設けられているようにしてもよい。
【００２０】
光源や受光部は、ヘッドの中でも特に精度が要求される部分である。その近傍に規制部を設けることで、これら高精度の部位が対向面に衝突することを確実に防ぐことが可能である。
【００２１】
本発明のディスク装置に係る実施形態の他の態様では、前記規制部は、前記ヘッドに立設されており、前記可動保持部材がスウィングすると、前記規制部の先端が前記対向面に当接する。
【００２２】
この態様では、可動保持部材がスウィングする際、可動保持部材に保持された部品のうち少なくともヘッドは、規制部が突っ支いとなって対向面から離間される。よって、可動部のなかでも、光源や受光部等の特に精度が要求される部品を含むヘッドを、確実に対向面から離間させることができる。
【００２３】
本発明のディスク装置に係る実施形態の他の態様では、前記規制部は、前記対向面に立設されており、前記可動保持部材がスウィングすると、前記規制部の先端が前記対向面に当接する。
【００２４】
この態様では、可動保持部材がスウィングする際、可動保持部材に保持された部品の少なくとも一つは、対向面に立設された規制部が突っ支いとなって対向面から離間される。よって、可動部の少なくとも一部を確実に対向面から離間させることができる。
【００２５】
本発明のディスク装置に係る実施形態の他の態様では、前記可動保持部材は、前記ガイド軸を、その両端の夫々において前記対向面から離間する方向に伸縮可能な弾性部材を介して保持する。
【００２６】
このように構成すれば、ガイド軸は、弾性部材の伸縮を反映して可動保持部材に対する相対位置を変える。そのため、無理な押圧力を加えることなくヘッドを移動させることができる。
【００２７】
以上説明したように、本発明のディスク装置に係る実施形態によれば、ベースシャーシと、スピンドルモータ、ヘッド、ガイド軸及び可動保持部材を含んで構成された可動部と、規制部とを備えるので、装置としての信頼性を維持しつつ薄型化が可能である。
【実施例】
【００２８】
以下、図面を参照して、本発明の実施例について説明する。
【００２９】
＜ディスク装置の全体構成＞
先ず、本実施例に係るディスク装置全体の概略構成について図１を参照して説明する。ここに図１は、ディスク装置を、ローディング途中にある光ディスク１と共に平面視したものであり、その内部の主要部品について透視してある。尚、以下では、このディスク装置を便宜上横置きとして説明するが、縦置きとしてもよい。縦置きの場合の作用、構成及び効果は、横置きの場合に準ずる。
【００３０】
図１において、ディスク装置は、光ディスク１に対し映像音声等の情報の記録再生を行う装置であり、光ディスク１を筐体３内に搬入し、そのセンタホール１ａをクランプ部２ａによりクランプし、光ディスク１をターンテーブル２上に共回り可能に保持するように構成されている。尚、光ディスク１の搬入に際しては、アーム等の部材が、移動する光ディスク１の周縁を把持し、搬入動作を介助するように構成されているが、図１においては、これらの部材の図示及びその説明は適宜省略することにする。
【００３１】
筺体３の前面には光ディスク１の挿入口（図示せず）を有するパネル３ａが固定される。また、筺体３の下部にはベースシャーシ４が設けられている。
【００３２】
そして、ベースシャーシ４の底面４ａと光ディスク１の挿入領域との間には、本発明に係る「可動保持部材」の一例を構成するメカフレーム５が設けられている。メカフレーム５には、ターンテーブル２がベースシャーシ４上の略中央に位置するように設けられ、その側縁の二点が自在継手６ａ，６ｂによりベースシャーシ４に連結される。自在継手６ａ、６ｂは、例えばベースシャーシ４にネジ止めする段付ビス中の軸と、メカフレーム５からこの軸を挟むように突出するフォーク７ａ，７ｂと、軸とフォーク７ａ，７ｂとの間に挿入されるゴムブッシュとで構成される。メカフレーム５の反支点側からはカムフォロアであるピン８が突出する。ピン８が後述のカムに係止されることにより、メカフレーム５は、二つの自在継手６ａ，６ｂを支点にして上下方向に俯仰するようなスウィングダウン動作が可能である。
【００３３】
スライダ１３は、ラック１３ａと複数種のカム１３ａ，１３ｂ，１３ｃ，１３ｄ，１３ｅ，１３ｆ，１３ｇを備え、ホルダ１４をガイドとして前後方向にスライド自在に設けられている。スライダ１３の側面には、メカフレーム５から突出するピン８が嵌まり込むカム１３ｄが形成される。カム１３ｄは、高低差を有しつつ前後方向に延びるカム溝を備えている。スライダ１３が前進を開始すると、ピン８は、カム溝内を相対的に後退するが、このときカム溝の高さに応じて上下方向にも移動する。
【００３４】
また、筺体３内には、光ディスク１の搬入、保持、搬出までの一連のローディング動作を行う各機構に対して動力を供給するモータ１１と、モータ１１の動力を各機構に伝達する減速機としての歯車列１２が設けられている。モータ１１はベースシャーシ４上のパネル３ａ側に固定される。歯車列１２は、その始端側の歯車がモータ１１の出力軸のウォームと噛み合い、その終端側の歯車がラック１３ａの歯列と噛み合うに設けられる。
【００３５】
従って、モータ１１が正転又は逆転すると、スライダ１３が前後方向に往復直線運動を行う。このスライダ１３の往復運動に伴い、他の各種リンクが連動して光ディスク１の搬入・搬出及び光ディスク１の保持・解放のための動作をする。メカフレーム５のピン８もまた、スライダ１３の往復運動に伴ってカム溝を相対的に移動する。このピン８の上下動により、メカフレーム５は、自在継手６ａ、６ｂを支点としたスウィングダウン動作を行う。
【００３６】
また、ベースシャーシ４上の左端で、パネル３ａ寄りの箇所に、ディスクガイド１５が固定されている。ディスクガイド１５には、光ディスク１の周縁が嵌まり込むガイド溝１５ａが形成されている。ディスクガイド１５は、スライダ１３の運動に関わらずベースシャーシ４上の定位置にて光ディスク１の搬入・搬出の案内をする。
【００３７】
一方、ベースシャーシ４上の右端で、パネル３ａ寄りの箇所には、引き込みレバー１６が設けられている。引き込みレバー１６は、支点ピン１６ａで軸支され、その先端には、光ディスク１の周縁に当接するローラ１６ｂが取り付けられている。また、引き込みレバー１６は、連結アーム１７を介してスライダ１３に連結される。連結アーム１７は、ホルダ１４に引張りバネ１８により連結されており、引き込みレバー１６は、この引張りバネ１８によりローラ１６ｂが光ディスク１を筐体３内に押し込む方向に付勢されている。
【００３８】
即ち、スライダ１３がモータ１１の正転によりパネル３ａ側へとスライドすると、連結アーム１７を介して引き込みレバー１６が支点ピン１６ａを支点に時計方向に回動し、ローラ１６ｂが光ディスク１の右側周縁に当接することにより、光ディスク１を筐体３の奥の方へと押し込む。このとき、光ディスク１は、左端周縁をディスクガイド１５に支持されつつ筐体３の背面側へと搬送される。尚、光ディスク１が更にローラ１６ｂに押されると、例えば、その左側周縁は、ディスクガイド１５の奥に配置されたセンタリングアームによって支持され、右前方の周縁は、筐体３の後方で軸支されると共に先端のローラが筐体３の右手奥から時計回りに回動するアーム等によって支持される。こうして、光ディスク１が筐体３内でセンタリングされる。光ディスク１の筐体３外への搬出は、モータ１１の逆転により上記各種リンクが逆動作をすることによって行われる。
【００３９】
＜メカフレーム５の構成＞
次に本発明に係る「可動保持部材」の一例たるメカフレーム５の詳細について図２から図４を参照して説明する。ここに図２及び図３は夫々、メカフレーム５を表側（即ち、光ディスク１との対向面側）からみた平面図、裏側（即ち、ベースシャーシ４との対向面側）からみた平面図である。図４は、図１のＡ−Ａ´線における断面図である。
【００４０】
図２から図４に示すように、メカフレーム５はターンテーブル２の他、光学ヘッド５１、光学ヘッド５１を光ディスク１の半径方向に移動可能に支持するガイド軸５２ａ及び５２ｂ、ターンテーブル２を回転させるスピンドルモータ５３等を保持する。そのため、メカフレーム５がスウィングダウンする際には、メカフレーム５とこれに保持される上記部品等とが、可動部５０として一体的に移動する。即ち、本実施例では、本発明に係る「可動部」の一例たる可動部５０が、スピンドルモータ５３、光学ヘッド５１、ガイド軸５２ａ及び５２ｂと、これらを保持するメカフレーム５とを含んで構成されている。尚、本実施例のスウィングダウン動作は、図４における回転中心６１の周りを回転する動作となるように設計されている。回転中心６１は、例えば図示のように、ガイド軸５２ａ及び５２ｂの両端の間をターンテーブル２側からみて２：１とする位置に設定される。
【００４１】
また、ガイド軸５２ａ及び５２ｂは共に、両端のうちターンテーブル２に近い方が、コイルバネ５４ｆを介してメカフレーム５に保持され、ターンテーブル２から遠い方が、コイルバネ５４ｒを介してメカフレーム５に保持されている。そのため、ガイド軸５２ａ及び５２ｂの各端部は、メカフレーム５に対して相対的に上下方向に移動可能であるが、図４、図５に示したように、受けとなるシャフト保持部５５、シャフト保持部５５に取り付けられた調整ネジ５６によってその動作範囲を規制されている。従って、調整ネジ５６の位置を調整すれば、間接的に光学ヘッド５１の光ディスク１に対する高さや傾き具合が調整される。
【００４２】
更に、スウィングダウン動作時にガイド軸５２ａ及び５２ｂのそれぞれに当接するように、本発明に係る「規制部」の一例を構成する、規制部６０ａ及び６０ｂが、ベースシャーシ４上のガイド軸５２ａ及び５２ｂに対向する位置に立設されている。ここでは、対をなす規制部６０ａ及び６０ｂは、当接時のガイド軸５２ａ及び５２ｂの底面４ａに対する傾きが同じとなるよう、対称な位置に同等の高さで設けられている。図４には、ガイド軸５２ａに対応する規制部６０ａのみを示しているが、これと同様に、ガイド軸５２ｂの側には規制部６０ｂが設けられている。
【００４３】
即ち、規制部６０ａ及び６０ｂは、メカフレーム５がスウィングダウンする場合においても、光学ヘッド５１がベースシャーシ４の底面４ａから離間するよう、それぞれガイド軸５２ａ及び５２ｂに当接して、その動作範囲を規制する。光学ヘッド５１は、ＬＤ等が調整後に基材に接着されているため、仮にスウィングダウン動作の度に底面４ａに突き当たれば、衝撃により位置ずれが生じるおそれがある。そのため、可動部５０の部品のなかでも特に光学ヘッド５１を保護すべく、規制部６０ａ及び６０ｂを設けている。尚、規制部６０ａ及び６０ｂは、ベースシャーシ４に取り付けられてもよいが、ベースシャーシ４の一部として一体的に形成されてもよい。
【００４４】
＜ディスク装置の動作＞
次に、このディスク装置の動作について図６から図８を参照して説明する。図６から図８は、図１のＡ−Ａ´線における可動部５０の断面を、待機中、ローディング中、ローディング完了の過程ごとに表している。
【００４５】
先ず図６に示したように、ディスク装置は当初、待機状態にある。次に、筐体３の前面のパネル３ａにおける図示しない挿入口から光ディスク１が操作者により挿入されると、光ディスク１の周縁がローラ１６ｂ、ディスクガイド１５、図示しないアーム等に当接して支持される。同時に、例えば光ディスク１の周縁が図示しないアームに当接することをきっかけとして、モータ１１が正転を開始し、スライダ１３を前進させる。
【００４６】
スライダ１３が前進する過程で、連結アーム１７、続いて引き込みレバー１６が時計方向に回動し、その先端のローラ１６ｂが光ディスク１を筐体３の奥へ押し込む。このとき、ディスクガイド１５は、ガイド溝１５ａにより光ディスク１の周縁を案内する。また、例えば図示しないアーム等が更に光ディスク１の周縁を支持する。こうして、光ディスク１は周縁で支持されつつ筐体３内に搬入される。
【００４７】
次に図７に示したように、スライダ１３の前進に伴い、メカフレーム５のピン８とスライダ１３のカム１３ｄとの係合により、メカフレーム５の前方が下降を開始する。こうして、メカフレーム５は、自在継手６ａ、６ｂを支点に、回転中心６１の周りにスウィングダウンして、光ディスク１の搬入経路から待避する。
【００４８】
このスウィングダウン動作では、回転中心６１の位置から、メカフレーム５のターンテーブル２側は底面４ａに近付くが、その反対側は逆に上に持ち上げられるために、筐体３内の空間が無駄なく利用される。
【００４９】
メカフレーム５が所定範囲を超えてスウィングダウンしようとすると、規制部６０ａ及び６０ｂが、ガイド軸５２ａ及び５２ｂのそれぞれに当接する。これら規制部６０ａ及び６０ｂが突っ支いとなって、ガイド軸５２ａ及び５２ｂ、そして光学ヘッド５１のスウィングダウン動作は阻止され、これらは底面４ａから離間した状態を保つ。ここでは、結果的に、可動部５０全体がスウィングダウン時であっても底面４ａから離間した状態を保つようになっている。
【００５０】
但し、ガイド軸５２ａ及び５２ｂの両端では、図７のように、コイルバネ５４ｆの方がコイルバネ５４ｒよりも縮むことから、ガイド軸５２ａ及び５２ｂ自体や光学ヘッド５１の動作が規制されているにも関わらず、メカフレーム５のスウィングダウン動作は続行される。即ち、ガイド軸５２ａ及び５２ｂのメカフレームに対するストロークは、コイルバネ５４ｒ側よりコイルバネ５４ｆ側のほうが大きく、このような動作の結果、光学ヘッド５１、ガイド軸５２ａ及び５２ｂは、スウィングダウンするメカフレーム５及びスピンドルモータ５３よりも、底面４ａに対して平行となる。
【００５１】
その結果、可動部５０のうち光学ヘッド５１、ガイド軸５２ａ及び５２ｂを含む部分は、これら部品の形状はそのままに、底面４ａに垂直な方向において薄くなる。こうして、光ディスク１の搬送経路を十分確保することが可能となる。しかも、光学ヘッド５１をはじめとする可動部５０の各部は、規制部６０ａ及び６０ｂにより動作範囲を規制されているために、スウィングダウン時に底面４ａに当たって衝撃を受けることがないので、部品の狂いが防止される。
【００５２】
次に、光ディスク１がターンテーブル２の真上まで搬送され、センタホール１ａにクランプ部２ａが正対すると、光ディスク１のセンタリングが完了する。その間もスライダ１３は前進しており、センタリング完了と同時に、メカフレーム５のピン８とスライダ１３のカム１３ｄとの係合によりメカフレーム５が上昇を開始し、ターンテーブル２のクランプ部２ａが光ディスク１のセンタホール１ａ内に嵌まり込み光ディスク１を保持する。
【００５３】
スライダ１３は更に前進し続け、ピン８がこれに連動して相対移動する。これにより、クランプ部２ａが光ディスク１を保持したままメカフレーム５は降下する。
【００５４】
図８に示したように、スライダ１３が最前進位置に到達すると、モータ１１は停止する。即ち、可動部５０の動作が停止し、ローディングが完了する。
【００５５】
その後、ターンテーブル２がスピンドルモータ５３の駆動で回転し、クランプ部２ａに保持された光ディスク１を回転させる。そして、この回転する光ディスク１に対し光学ヘッド５１が走査を行うことにより、光ディスク１に対する情報の記録又は再生が行われる。
【００５６】
光ディスク１の筐体３外への搬出は、例えばパネル３ａに設けたイジェクトスイッチ等の操作により開始される。即ち、モータ１１が逆転を開始し、スライダ１３が後退し始める。スライダ１３の後退により、各部材は上述の動作とは逆に動作する。これにより、光ディスク１は、ディスクガイド１５のガイド溝１５ａやローラ１６ｂ、図示しないアーム等に支持されて、筐体３外に搬出される。その後、スライダ１３の位置を調整してからモータ１１は停止する。これにより、ディスク装置は当初の待機状態に復帰し、次回の光ディスク１の挿入を待つ。
【００５７】
このように本実施例におけるディスク装置は、ガイド軸５２ａ及び５２ｂそれぞれの両端がコイルバネ５４ｆ及び５４ｒを介してメカフレーム５に接続されるようにしたので、ガイド軸５２ａ及び５２ｂ、そして光学ヘッド５１は、メカフレーム５に対して相対的に底面４ａから離間する方向に移動可能である。また、スウィングダウン時のガイド軸５２ａ及び５２ｂに当接するように、底面４ａに規制部６０ａ及び６０ｂを設けたので、スウィングダウン時には、光学ヘッド５１がメカフレーム５に対し相対的に底面４ａから離間する方向に移動し、可動部５０は薄くなることによって光ディスク１の搬入経路から待避する。従って、このディスク装置は、ベースシャーシ４に開口部を設け、そこに光学ヘッド５１を待避させる構成をとらずに同様の動作が可能であることから、薄型化が可能である。また、ベースシャーシ４に開口部を設ける必要がないので、内部への塵埃の流入を防ぐことが可能となる。
【００５８】
また、底面４ａに設けた規制部６０ａ及び６０ｂが突っ支いとなることでガイド軸５２ａ及び５２ｂの可動範囲が規制され、スウィングダウン動作時においてもガイド軸５２ａ及び５２ｂ、そして光学ヘッド５１が底面４ａから離間するように構成されているので、これら部品の衝撃等による狂いが防止され、ディスク装置としての信頼性を保持することが可能である。
【００５９】
尚、この実施例では、規制部６０ａ及び６０ｂを底面４ａに設けるようにしたが、逆に、規制部を光学ヘッド５１ないしガイド軸５２ａ、５２ｂ等の可動部５０側の部品に立設されていてもよい。この場合も、上記可動部５０側の部品を確実に底面から離間させることができる。尚、規制部は、光学ヘッドやガイド軸に取り付けられてもよいが、これらの所定箇所に一体的に形成されていてもよい。
【００６０】
また、上記実施例では、対をなす規制部６０ａ及び６０ｂを、互いに対称な位置に同等の高さで設けるようにしたが、本発明に係る規制部は、可動部のうち目的の部材の動作範囲を適切に規制しさえすればよく、その位置関係や高さは特に限定されない。例えば、可動部側の部品の形状や配置によっては、規制部を設けることができる領域が対称であるとは限らないし、規制部の高さを一定とすると却って空間効率のよい動作ができない場合がある。また、光学ヘッド５１の中でも光源や受光部等の特に精度が要求され、しかも衝撃に弱い部品が、例えば、一方のガイド軸の側に偏って搭載されており、もう一方のガイド軸の側は比較的衝撃が問題とならない場合などには、先のガイド軸のみ動作範囲を規制し、光学ヘッド５１の片側を選択的に底面４ａから離間させるように規制部を設けることも考えられる。ちなみに、この場合には、スウィングダウンするメカフレーム５は、ディスクローディング方向、即ちガイド軸が延びる方向に直交する方向についても傾くことになる。このように複雑な動作が、規制部を設けるという単純な構成で実現でき、また必要以上に可動部５０の上下方向の動作が規制されないことから、より薄型化に有利な構成となる。
【００６１】
このように、どの程度底面に対して離間させる必要があるかは、メカフレーム５に保持されている各部品、更にはその部位間で異なっていることがあり、規制部は、それに応じて適宜に設けることができる。
【００６２】
更に、上記実施例では、規制部６０ａ及び６０ｂによりスウィングダウン時のガイド軸５２ａ、５２ｂ及び光学ヘッド５１の動作を規制するようにしたが、規制部６０ａ及び６０ｂの代わりにベースシャーシ４の底面４ａ、或いはこれら部品の所定箇所が、これら部品の動作を規制するようにしてもよい。言い換えれば、光学ヘッド５１やガイド軸５２ａ及び５２ｂにおける、ベースシャーシ４に対向した部分、ないしはベースシャーシ４が、本発明の「規制部」として機能するように構成してもよい。底面４ａにガイド軸５２ａ、５２ｂ等が当接した後も、メカフレーム５はスウィングダウン動作を続行可能であり、可動部５０はスウィングダウン動作時に薄くなる。よって、この場合も、可動部は全体としてスイングダウン動作に応じて偏平形状となり、装置の薄型化が可能となる。
【００６３】
本発明は、上述した実施形態に限られるものではなく、請求の範囲及び明細書全体から読み取れる発明の要旨或いは思想に反しない範囲で適宜変更可能であり、そのような変更を伴うディスク装置もまた本発明の技術的範囲に含まれるものである。
【図面の簡単な説明】
【００６４】
【図１】本発明の実施例に係るディスク装置の構成を示す平面図である。
【図２】図１に示したメカフレームの表側から見た平面図である。
【図３】図１に示したメカフレームの裏側から見た平面図である。
【図４】図１のＡ−Ａ´線における断面図である。
【図５】図４に示したシャフト保持部の構成図である。
【図６】図４に示した可動部の待機状態時の様子を示すＡ−Ａ´線断面図である。
【図７】図４に示した可動部のローディング中の様子を示すＡ−Ａ´線断面図である。
【図８】図４に示した可動部のローディング完了時の様子を示すＡ−Ａ´線断面図である。
【符号の説明】
【００６５】
１…光ディスク、２…ターンテーブル、２ａ…クランプ部、３…筐体、４…ベースシャーシ、４ａ…（ベースシャーシ４の）底面、５…メカフレーム、６ａ、６ｂ…自在継手、８…ピン、１３…スライダ、１３ａ〜１３ｆ…カム、１４…ホルダ、１５…ディスクガイド、１６…引き込みレバー、１７…連結アーム、５０…可動部、５１…光学ヘッド、５２ａ、５２ｂ…ガイド軸、５３…スピンドルモータ、５４ｆ、５４ｒ…コイルバネ、５５…シャフト保持部、５６…調整ネジ、６０ａ、６０ｂ…規制部、６１…回転中心。
【図１】
2005196922.tif 000003
【図２】
2005196922.tif 000004
【図３】
2005196922.tif 000005
【図４】
2005196922.tif 000006
【図５】
2005196922.tif 000007
【図６】
2005196922.tif 000008
【図７】
2005196922.tif 000009
【図８】
2005196922.tif 000010